(57)【要約】【課題】移動端末と基地局との通信が良好でない場合に基地局に接続した制御局で確認して修理保守でき操作性及び保守性を向上させる無線装置を提供する。【解決手段】複数の基地局に外部アンテナを有して移動体端末と通信するとともに複数の外部アンテナを制御局の基板に各々接続させて監視制御する無線装置であって、制御局に配置する箱状で側面が開口した本体１０と、この本体１０の側面から縦置きに複数配列させて収納して本体１０内で摺動可能な収納体２０と、この収納体２０に回動可能に支持して本体１０内に収納及び側面から露出可能にして収納時の配列する側面に簡易表示器３８を設けて基地局の外部アンテナに各々接続して監視制御する基板を収容したケース３０とを備え、本体１０の側面から引き出したケース３０両側の表面に外部アンテナに各々対応して通信状況を文字、記号、数字、図形などにより詳細表示する文字表示器３２を設ける。【選択図】      図１
2005027174.tif 000002
【特許請求の範囲】
【請求項１】
複数の基地局に各々外部アンテナを有して移動体端末と通信するとともに、この複数の外部アンテナを制御局の基板に各々接続させて監視制御する無線装置において、
前記制御局に配置する箱状で側面が開口した本体と、
前記本体の側面から縦置きに複数配列させて収納して前記本体内で摺動可能な収納体と、
前記収納体に回動可能に支持した状態で前記本体内に収納及び前記側面から露出可能にし、この収納時の配列する側面に通信状況を点滅表示する簡易表示器を設け、前記基地局の外部アンテナに各々接続して監視制御する基板を収容したケースとを備え、
前記本体の側面から引き出した前記ケース両側の広い表面に前記外部アンテナに各々対応して通信状況を文字、記号、数字、図形などにより詳細表示する文字表示器を更に設けたことを特徴とする無線装置。
【請求項２】
請求項１に記載の無線装置において、
前記ケースは、前記本体の側面から前記収納体に支持された状態で引き出した際に、上下端を回転および引き出した前記簡易表示器側の先端を左右に回転可能に設けて前記文字表示器を見やすい位置に回動できるように設けたことを特徴とする無線装置。
【請求項３】
請求項１または２に記載の無線装置において、
前記ケースは、前記文字表示器を設けた表面に加えて動作状況を点滅して表示する点滅表示器を更に設けたことを特徴とする無線装置。
【請求項４】
請求項１乃至３のいずれかに記載の無線装置において、
前記ケースは、前記文字表示器を設けた近傍に表示する内容を選択的に切り替えるボタンを設けたことを特徴する無線装置。
【請求項５】
請求項１乃至４のいずれかに記載の無線装置において、
前記ケースは、前記本体内から出し入れすることでＯＮ／ＯＦＦするスイッチを備え、このスイッチにより前記簡易表示器側と前記文字表示器側との表示切り替えを可能に設けたことを特徴する無線装置。
【発明の詳細な説明】
【０００１】
【発明の属する技術分野】
本発明は無線装置に係り、より詳細には、移動端末と通信を行う基地局の外部アンテナを監視制御して通信させる無線装置に関する。
【０００２】
【従来の技術】
【特許文献１】
特開２００２−１０３２２号公報
【０００３】
従来、無線装置は、複数の基地局に各々外部アンテナを設置して移動体端末と通信するとともに、この複数の外部アンテナを各々接続して制御局で監視及び制御（例えば、特許文献１参照）する装置として用いている。図７は、このような基地局を監視制御する従来の無線装置を用いたシステム構成を示す図である。また、図８は、図７に示した制御局Ａに設けた本体５０を示す図である。
【０００４】
図７に示すように、従来の無線装置は、複数の基地局Ｂ１、Ｂ２、Ｂ３に各々外部アンテナ２を設置して移動体端末１との通信を可能にしており、この複数の外部アンテナ２を制御局Ａの本体５０に収容した基板５２（図８参照）に各々接続して監視制御するように設けている。また、この種の無線装置では、制御局Ａの本体５０を更にセンター局Ｃに接続して遠隔操作で専用管理システムにより一括管理する方法、又は近くのパソコン等を用いて専用ツールにより管理する方法などにより制御管理している。
【０００５】
ところで、制御局Ａに配置した本体５０は、図８に示すように、箱状に形成され、この箱状内部に縦置きに複数配列して各基地局Ｂ１、Ｂ２、Ｂ３の外部アンテナ２とそれぞれ対応して接続する基板５２を複数収納しており、この基板５２が配列する側面に複数の表示器５４を備えて外部アンテナ２の通信状況を表示している。
【０００６】
このような従来の無線装置は、例えば、図７に示した基地局Ｂ１、Ｂ２、Ｂ３のいずれかが移動端末１との通信を良好に行えない場合、制御局Ａの本体５０内で基地局Ｂの通信が良好でない旨を感知するとともに、この基地局Ｂに対応する基板５２の表示器５４（図８参照）が点灯して異常状態を表示する。また、本体５０は基地局Ｂでの通信が良好でない旨をセンター局Ｃに通知し、このセンター局Ｃから基地局Ｂまたは制御局Ａの修理、保守を行う。
【０００７】
このように従来の無線装置は、各基地局Ｂ１、Ｂ２、Ｂ３の外部アンテナ２にそれぞれ対応する複数の基板５２を本体５０内に収容して制御局Ａに設けるとともに、この基板５２に応じた表示器５４を各々設けることで各基地局Ｂ１、Ｂ２、Ｂ３の通信状況を逐一監視でき、その旨をセンター局Ｃに通知して早急に修理、保守できるように設けていた。
【０００８】
【発明が解決しようとする課題】
しかしながら、従来の無線装置では、制御局Ａを介して基地局Ｂの通信が良好でない旨をセンター局Ｃに一旦通知した後、このセンター局Ｃから基地局Ｂまたは制御局Ａの修理、保守を行うため、センター局Ｃでの通知状態と、制御局Ａの表示器５４による表示とを対比しながら修理、保守を行う必要があり、保守性または操作性に難点があるという不具合があった。また、表示器５４は、本体５０の設置位置によって確認が難しいとともに、点滅による簡易表示であってセンター局Ｃで原因を特定した後に改めて確認するものであるため、基地局Ｂ及び制御局Ａで直接確認して修理、保守できる表示でないという不具合があった。
本発明はこのような課題を解決し、移動端末と基地局との通信が良好でない場合に基地局に接続した制御局で容易に確認して修理、保守でき、操作性及び保守性を向上させる無線装置を提供することを目的とする。
【０００９】
【課題を解決するための手段】
本発明は上述の課題を解決するために、複数の基地局に各々外部アンテナを有して移動体端末と通信するとともにこの複数の外部アンテナを制御局の基板に各々接続させて監視制御する無線装置であって、制御局に配置する箱状で側面が開口した本体と、この本体の側面から縦置きに複数配列させて収納して本体内で摺動可能な収納体と、この収納体に回動可能に支持した状態で本体内に収納及び側面から露出可能にしてこの収納時の配列する側面に通信状況を点滅表示する簡易表示器を設けて基地局の外部アンテナに各々接続して監視制御する基板を収容したケースとを備え、本体の側面から引き出したケース両側の広い表面に外部アンテナに各々対応して通信状況を文字、記号、数字、図形などにより詳細表示する文字表示器を更に設ける。
【００１０】
ここで、ケースは、本体の側面から収納体に支持された状態で引き出した際に、上下端を回転および引き出した簡易表示器側の先端を左右に回転可能に設けて文字表示器を見やすい位置に回動できるように設けることが好ましい。また、ケースは、文字表示器を設けた表面に加えて動作状況を点滅して表示する点滅表示器を更に設けることが好ましい。また、ケースは、文字表示器を設けた近傍に表示する内容を選択的に切り替えるボタンを設けることが好ましい。また、ケースは、本体内から出し入れすることでＯＮ／ＯＦＦするスイッチを備え、このスイッチにより簡易表示器側と文字表示器側との表示切り替えを可能に設けることが好ましい。
【００１１】
【発明の実施の形態】
次に、添付図面を参照して本発明による無線装置の実施の形態を詳細に説明する。図１は、本発明による無線装置の一実施形態を示す図である。また、図２は、図１に示したケース３０を示す図である。また、図３は、図１に示したケース３０を引き出して回動させた状態を示す図である。また、図４は、図３に示したケース３０を支持する支持体４０を示す図である。また、図５は、図１に示したケース３０の左右回転動作を示す図であり、図５（ａ）は動作前の状態を、図５（ｂ）は左右回転動作中の状態を各々示している。また、図６は、図１に示したケース３０の上下端の回転動作を示す図である。
【００１２】
図１に示すように、本発明による無線装置の一実施形態は、図７に示した従来技術と同様に、複数の基地局に各々外部アンテナを有して移動体端末と通信するとともにこの複数の外部アンテナを制御局の基板に各々接続させて監視制御するものであり、この制御局に配置して箱状で側面が開口した本体１０と、この本体１０の開口する側面から縦置きに複数配列して収納されて基地局の外部アンテナに各々接続して監視制御する基板（図示せず）を収容してこの配列する側面に通信状況を点滅表示する簡易表示器３８を備えた板状で厚みを有したケース３０とを備えている。また、本実施の形態では、従来技術とは異なり、本体１０の開口する側面から縦置きに複数配列させて収納して本体１０内で摺動可能な収納体２０を備え、この収納体２０に前述したケース３０を回動可能に支持した状態で本体１０内に収納及び側面から露出可能に設けるとともに、この引き出したケース３０両側の広い表面に外部アンテナに各々対応して通信状況を文字、記号、数字、図形などにより詳細表示する文字表示器３２を更に設けている。
【００１３】
ここで、ケース３０は、図２に示すように、本体から引き出した両側の表面（片側）に文字表示器３２を備えるとともに、この文字表示器３２を設けた表面に加えて装置の保守管理を運用するために必要な動作状況を点滅表示する点滅表示器３４を更に設けている。また、ケース３０には、文字表示器３２を設けた近傍に表示する内容を選択的に切り替えるボタン３６が設けており、このボタン３６には必要な管理情報を選択して文字表示器３２に表示する第１ボタン３６ａと、外部アンテナと監視制御通信する装置間の情報を運用管理するために文字表示器３２及び点滅表示器３４に表示させる第２ボタン３６ｂとを備えている。
【００１４】
また、ケース３０には、図１に示した本体１０内から引き出した上端面にスイッチ３１を備えており、このスイッチ３１が本体１０から出し入れする際にＯＮ／ＯＦＦされて簡易表示器３８側と文字表示器３２側との表示切り替えを可能に設けている。このスイッチ３１は、ケース３０内の基板に設けた電源部（図示せず）に接続して連動することにより、未使用時（本体１０内に収納した時）に簡易表示器３８の表示に切り替えて文字表示器３２側の電源をオフにして省電力化を図っている。
【００１５】
そして、このように形成されたケース１０は、図３に示すように、本体１０内に収納体２０の支持体４０を介して支持されており、この状態で本体１０の側面から引き出した際に、上下端を回転および引き出した簡易表示器３８（図１参照）側の先端を左右に回転可能に支持して文字表示器３２（図２参照）を見やすい位置に回動できるように設けている。
【００１６】
この支持体４０は、図４に示すように、本体１０内のレール（図示せず）に沿って摺動する収納体２０の先端面に取り付けられており、この先端面に一端を固定して他端側が出し入れ方向の左右に開閉して回動する第１回動部材４２と、この左右に回動する先端から更に延在する棒状の軸を中心にケース３０を上下に回動可能に支持する第２回動部材４４とを備えている。
【００１７】
次に、添付図面を参照して本発明による無線装置の一実施形態の動作を詳細に説明する。本発明による無線装置の一実施形態は、通常、図５（ａ）に示すように、装置全体の運用を管理する表示盤であるケース３０が本体１０内に複数配列して収納されて簡易表示器３８の点滅表示により状態を監視している。そして、ケース３０を使用する場合には、図１に示したように、収納体２０とともにケース３０を本体１０の開口した側面から手前に引き出して使用する。
【００１８】
この際、ケース３０は、図１に示した上端面に設けたスイッチ３１が連動してＯＮ状態になり、簡易表示器３８側の表示から文字表示器３２側の表示に切り替わり、制御局での文字表示器３２による監視制御及び保守が可能になる。一方、文字表示器３２による監視制御を終了してケース３０を本体１０内に収納すると、再びスイッチ３１が連動してＯＦＦ状態になり、文字表示器３２側の表示を切断して簡易表示器３８側の表示に切り替える。これにより文字表示器３２側で監視しない場合、図２に示した点滅表示器３４も同時に電源をＯＦＦ状態にするため、省電力化が図れる。
【００１９】
そして、ケース３０は、図５（ｂ）に示すように、本体１０内から引き出した状態において、支持体４０の第１回動部材４２（図４参照）により左右方向の角度を任意の位置に回転することで、使用者（管理者）が文字表示器３２及び点滅表示器３４（図２参照）を容易に視認できる位置に調整できる。また、このケース３０は、図６に示すように、左右方向の角度を調整した後、支持体４０の第２回動部材４４により上下端を回転させることで、使用者が更に監視しやすい傾きに調整できる。従って、ケース３０は、本体１０の設置位置及び管理者の位置に関わらず支持体４０に支持されて回動することで、表示面の角度による保守の難易性を向上することができる。
【００２０】
その後、ケース３０の位置を監視しやすい角度に調整すると、図２に示したケース３０のボタン３６を押下することで点滅表示器３４及び文字表示器３２に動作状態と故障状態とを表示させて適宜装置を監視する。この時、点滅表示器３４及び文字表示器３２には、第１ボタン３６ａまたは第２ボタン３６ｂを選択的に押下することで、現在必要な管理情報を表示して修理、保守に関する詳細な情報を得ることができる。従って、本実施の形態では、図７に示した従来技術でのセンター局による監視制御がほぼ不要になり、制御局に設けたケース３０の点滅表示器３４及び文字表示器３２のみで、無線局のほぼ全ての装置を選択して監視でき、装置全体を運用管理することが可能になる
【００２１】
このように本発明による無線装置の一実施形態によると、制御局に設けたケース３０に装置全体を保守運用管理する詳細情報を表示できる点滅表示器３４及び文字表示器３２を設けた構造のため、制御局の基板と基地局の外部アンテナとの修理、保守、及び試験を制御局に接続したセンター局まで確認する必要がなく、制御局及び基地局で直接実行可能になり容易に迅速な保守が行え、使用者の保守性、操作性が向上する。
また、本発明による無線装置の一実施形態によると、ケース３０が支持体４０に支持された状態で上下左右に回動して点滅表示器３４及び文字表示器３２の表示面を自由に調整することができるため、本体１０が設置される位置に関わらず、ケース３０の角度を適切な方向に調節して管理状態を表示でき、制御局から無線局のほぼ全ての装置を選択して監視でき、装置全体を運用管理することが可能になる。
【００２２】
以上、本発明による無線装置の実施の形態を詳細に説明したが、本発明は前述した実施の形態に限定されるものではなく、その要旨を逸脱しない範囲で変更可能である。
例えば、ケースに点滅表示器及び文字表示器の両方を設けた実施例を説明したが、これに限定されるものではなく、ケースに文字表示器のみ設けることも可能である。
また、ケースに第１ボタン及び第２ボタンの２つのボタンを設けた実施例を説明したが、これに限定されるものではなく、例えば、２つ以上設けて種々の保守操作を可能にしてもよい。
【００２３】
【発明の効果】
このように本発明による無線装置によれば、制御局に設けたケースに装置全体を保守運用管理する詳細情報を表示できる文字表示器を設けた構造のため、制御局の基板と基地局の外部アンテナとの修理、保守、及び試験を制御局に接続したセンター局まで確認する必要がなく、制御局及び基地局で直接実行可能になり容易に迅速な保守が行え、保守性、操作性が向上する。
また、本発明による無線装置によれば、ケースが支持体に支持された状態で出し入れでき、文字表示器の表示面で自由に管理状態を表示できるため、制御局から無線局のほぼ全ての装置を選択して監視でき、装置全体を運用管理することが可能になる。
【図面の簡単な説明】
【図１】本発明による無線装置の一実施形態を示す図。
【図２】図１に示したケースを示す図。
【図３】図１に示したケースを引き出して回動させる状態を示す図。
【図４】図３に示したケースを支持する支持体を示す図。
【図５】図１に示したケースの左右回転動作を示す図。
【図６】図１に示したケースの上下端の回転動作を示す図。
【図７】従来の無線装置を用いたシステム構成を示す図。
【図８】図７に示した制御局に設けた本体を示す図。
【符号の説明】
１０    本体
２０    収納体
３０    ケース
３１    スイッチ
３２    文字表示器
３４    点滅表示器
３６    ボタン
３６ａ  第１ボタン
３６ｂ  第２ボタン
３８    簡易表示器
４０    支持体
４２    第１回動部材
４４    第２回動部材
【図１】
2005027174.tif 000003
【図２】
2005027174.tif 000004
【図３】
2005027174.tif 000005
【図４】
2005027174.tif 000006
【図５】
2005027174.tif 000007
【図６】
2005027174.tif 000008
【図７】
2005027174.tif 000009
【図８】
2005027174.tif 000010